(57)【要約】容器（２０、１２０）および蓋部（３０、１３０）の組合せによって形成されるパッケージのための確実位置決めシステムを提供する。一実施形態では、本発明は、容器頚部（２１）の内側表面上の肩部（２７）上に形成された容器頚部ラグ（２８）と協働する少なくとも１つのプラグ・シール・ラグ（５４）を備えるプラグ・シール（５０）を有する蓋部（３０）を提供する。他の実施形態では、少なくとも１つの頚部ラグ（１２８）が容器頚部（１２１）の端部に設けられ、蓋部本体（１３０）は、蓋部平坦部（１３５）から延びる少なくとも１つの蓋部平坦部ラグ（１５４）を備え、少なくとも１つの頚部ラグ（１５４）に対応して係合するようになされている。
2004512234.tif 000002
【特許請求の範囲】
【請求項１】
確実位置決め式の容器と蓋部の組合せであって、
（Ａ）内部を画定し、内部への開口を画定する頚部を有しており、前記頚部が所定の谷径をもつ少なくとも１つの雌型頚ねじ部を有する容器と、
（Ｂ）前記開口を密封するために前記容器頚部と協働的に連結しており、（１）平坦部と、（２）前記平坦部から延び、前記頚ねじ部とねじ込み式に係合するための少なくとも１つの雌型スカートねじ部を有するスカートとを備える蓋部と、
（Ｃ）前記蓋部の前記位置決め構造を係合させて前記容器に対して取付け位置に前記蓋部の確実な位置決めを確立するための、前記蓋部の位置決め構造および前記容器の位置決め構造とを含み、前記容器の前記位置決め構造が、前記容器の雌型頚ねじ部谷径内に位置し、前記蓋部を前記容器頚部上にねじ込むときに前記蓋部が変形することなく操作可能である、組合せ。
【請求項２】
確実位置決め式の容器および蓋部の組合せであって、
（Ａ）内部を画定し、内側頚部表面を備え内部への開口を画定する頚部を有しており、前記頚部が、少なくとも１つの頚ねじ部および前記内側頚部表面から延びる少なくとも１つの容器頚部ラグを有し、前記少なくとも１つの容器頚部ラグが容器頚部ラグ衝合面を有する容器本体と、
（Ｂ）前記開口を閉じるために容器頚部と協働的に連結しており、（１）蓋部平坦部と、（２）前記平坦部から延びるとともに、スカート上に形成された、少なくとも１つの頚ねじ部とねじ込み式に係合するための少なくとも１つのスカートねじ部を有するスカートと、（３）前記平坦部から延び、前記頚部の内側表面と密封的に係合するためのプラグ・シールと、（４）前記プラグ・シール上に形成されており、前記蓋部を取付け位置に回転させ、それによって前記蓋部を前記容器に関して確実に位置決めする際に、前記少なくとも１つの容器頚部ラグ衝合面と係合するように適合された少なくとも１つのプラグ・シール・ラグとを備える確実位置決め式の蓋部とを含む、組合せ。
【請求項３】
確実位置決め式の容器および蓋部の組合せであって、
（Ａ）内部を画定し、内部への開口を画定する頚部を有しており、前記頚部が、（１）頚部上に形成された少なくとも１つの頚ねじ部と、（２）前記開口の周りに延びる頚部端面と、（３）前記端面から延びる少なくとも１つの頚部ラグとを備える容器本体と、
（Ｂ）前記開口を密封するために前記容器頚部と回転可能に協働する確実位置決め式の蓋部であって、（１）蓋部平坦部と、（２）前記蓋部平坦部から延びるとともに、スカート上に形成され、少なくとも１つの頚ねじ部とねじ込み式に係合するための少なくとも１つのスカートねじ部を有するスカートと、（３）前記蓋部平坦部から延びており、前記蓋部を取付け位置に回転させ、それによって前記蓋部を前記容器に関して確実に位置決めする際に、前記少なくとも１つの頚部ラグの対応する１つを係合するように適合された少なくとも１つの蓋部平坦部ラグとを備える蓋部とを含む、組合せ。
【発明の詳細な説明】
【０００１】
（技術分野）
本発明は、蓋部アセンブリ、ならびに容器と容器用の蓋部アセンブリを組み合わせた形のパッケージに関する。さらに詳細には、本発明は、容器に対して蓋部アセンブリの確実な位置決めを提供する蓋部アセンブリおよびパッケージに関する。
【０００２】
（発明の背景および従来技術の技術的問題点）
容器および容器用の蓋部アセンブリの形のパッケージのための確実位置決めシステムは、一般に従来技術で知られている。たとえば、参照により主題および記載の全体を本明細書に合体する、米国特許第５，１４５，０８０号は、蓋部スカートの内側表面上に１つまたは複数の凹部を備える蓋部スカートを有する蓋部本体を含む蓋部アセンブリを開示している。この蓋部アセンブリは、基部上に形成された突起を有するねじ付容器頚部を備える容器頚部完成品と係合するように適合される。各凹部は突起を受けるように適合されている。蓋部を回転し、容器頚部にねじ込むと、蓋部スカートが、先ず突起と係合し、突起によっていくらか変形される。突起が凹部内に受け入れられるまで突起およびスカートの相対的な動きを受け止めるように、容器頚部もしくは蓋部スカートの一方、またはその両方が、容器にねじ込まれるときに変形するように十分弾性でなければならない。凹部が突起と位置合せする場合、容器のスカートもしくは突起、またはその両方が変形されない形に戻り、それによって、容器上の所定の位置に蓋部を保持する。
【０００３】
従来技術の確実位置決めシステムは、いくつかの欠点を伴っている。たとえば、上記のようなシステムは、蓋部スカートが凹部の形成を受け止めるために十分な壁の厚さであることが必要である。一方、こうした蓋部は、蓋部本体のスカート壁もしくは突起、またはその両方が元に戻る回転力を必要とせずに変形を可能にするような寸法である必要がある。したがって、従来技術の密封システムの確実位置決めの特徴は、蓋部本体のスカート壁および容器頚部完成品の突起の寸法的特徴に制限を加え、それに関連して製造技術および蓋部アセンブリの美的外観に制限を加える。
【０００４】
したがって、こうした制限を回避する蓋部および容器の組合せを形成する確実位置決めシステムを提供することが望ましい。また、こうした改良型密封システムが、様々な形を有し様々な材料で構築されるボトル、容器またはパッケージに対応することができれば有利である。さらに、こうした改良型システムが、製品の不合格率を下げて、一定の動作特性をもつシステムを生み出す、有効、高品質かつ大量製造技術に対応することができれば望ましい。
【０００５】
（発明の簡単な概要）
上記の利益および利点は、本発明によって実現される。本発明は、取り付け中に変形を必要とせず、それによって従来技術の確実位置決めシステムによって加えられる制限を回避する確実位置決めの特徴を有する蓋部および容器の組合せを含むパッケージを提供する。
【０００６】
広義では、本発明は、確実位置決め式の容器および蓋部の組合せを含み、（Ａ）内部を画定し、内部への開口を画定する頚部を有しており、前記頚部が所定の谷径をもつ少なくとも１つの雌型頚ねじ部を有する容器と、（Ｂ）前記開口を密封するため容器頚部と協働的に連結しており、平坦部と、前記平坦部から延び、前記頚ねじ部とねじ込み式に係合するための少なくとも１つの雌型スカートねじ部を有するスカートとを備える蓋部と、（Ｃ）前記蓋部の前記位置決め構造を係合させて前記容器に対して取付け位置で前記蓋部の確実な位置決めを確立するための前記蓋部の位置決め構造および前記容器の位置決め構造とを含んでおり、前記容器の前記位置決め構造が、前記容器の雌型頚ねじ部谷径内に位置し、前記蓋部を前記容器頚部上にねじ込むときに前記蓋部が変形することなく操作可能である。
【０００７】
好ましい一実施形態では、本発明は、容器頚部の内側表面上の肩部に形成された容器頚部のラグと協働する少なくとも１つのプラグ・シール・ラグを備えるプラグ・シールを有する蓋部を提供する。本発明のこの態様は、確実位置決め式の容器および蓋部の組合せとして定義することができ、
（Ａ）内部を画定し、内側頚部表面を備え内部への開口を画定する頚部を有しており、前記頚部が、少なくとも１つの頚ねじ部、および前記内側頚部表面から延びる少なくとも１つの容器頚部ラグを有し、前記少なくとも１つの容器頚部ラグが容器頚部のラグ衝合面を有する容器本体と、（Ｂ）前記開口を密封するため容器頚部と協働的に連結しており、（１）蓋部平坦部と、（２）前記平坦部から延びるとともに、スカート上に形成され、少なくとも１つの頚ねじ部とねじ込み式に係合するための少なくとも１つのスカートねじ部を有するスカートと、（３）前記平坦部から延び、前記頚部の内側表面と密封的に係合するためのプラグ・シールと、（４）前記プラグ・シール上に形成され、蓋部を取付け位置に回転し、それによって蓋部を容器に関して確実に位置決めする際に、前記少なくとも１つの容器頚部ラグ衝合面と係合するように適合された少なくとも１つのプラグ・シール・ラグとを備える確実位置決め式蓋部とを含む。蓋部を容器頚部上で回転させると、前記少なくとも１つのプラグ・シール衝合面が、最終的に少なくとも１つの頚部ラグ衝合面と係合して、容器に対して蓋部がさらに回転するのを防ぎ、それによって蓋部を容器に対して確実に位置決めする取付け位置を画定する。
【０００８】
他の好ましい一実施形態では、少なくとも１つの頚部ラグが容器頚部の一端部に設けられ、蓋部本体は、蓋部平坦部から延び、少なくとも１つの頚部ラグの１つに対応して係合するように適合された少なくとも１つの蓋部平坦部ラグを備えている。本発明のこの特徴は、確実位置決め式の容器および蓋部の組合せとして定義することができ、（Ａ）内部を画定し、内部への開口を画定する頚部を有しており、前記頚部が、（１）頚部上に形成された少なくとも１つの頚ねじ部と、（２）前記開口部の周りに延びる頚部端面と、（３）前記端面から延びる少なくとも１つの頚部ラグとを備える容器本体と、（Ｂ）前記開口を密封するため前記容器頚部と回転可能に協働する確実位置決め式蓋部であって、（１）蓋部平坦部と、（２）前記蓋部平坦部から延びるとともに、スカート上に形成され、少なくとも１つの頚ねじ部とねじ込み式に係合するための少なくとも１つのスカートねじ部を有するスカートと、（３）前記蓋部平坦部から延び、蓋部を取付け位置に回転させ、それによって蓋部を容器に対して確実に位置決めする際に、少なくとも１つの頚部ラグの１つに対応して係合するように適合された少なくとも１つの蓋部平坦部ラグとを備える蓋部とを含む。蓋部を容器頚部上で回転させると、蓋部平坦部ラグが、最終的に頚部ラグと係合して、容器に対して蓋部がさらに回転するのを防ぎ、それによって蓋部を容器に対して確実に位置決めする取付け位置を画定する。
【０００９】
本発明が提供するこの新規な確実位置決めの特徴は、熱可塑性材料の射出成形によって製造される蓋部および容器で簡単に提供することができる。こうした特徴により、蓋部スカートの寸法に制限を与えることなく、また容器頚部の基部から延びる突起の形成に伴う比較的複雑な製造ステップを必要とすることなく、確実な位置決めが可能になる。
【００１０】
本発明の他の多くの利点および特徴は、本発明の以下の詳細な説明、特許請求の範囲、および添付の図面から容易に明らかになるであろう。
【００１１】
添付の図面は、本明細書の一部をなし、同様の番号は、本明細書の全体を通して同様の部分を指すために使用する。
【００１２】
添付の図面は本明細書の一部をなし、同様の番号が、全体を通して同様の部分を指すために使用されている。
【００１３】
（好ましい実施形態の詳細な説明）
本発明は、多くの異なる形の実施形態が可能であるが、本明細書および添付の図面は、単に本発明の例としていくつかの特定の形を開示している。しかし、本発明は、記載された実施形態に限定されるものではない。本発明の範囲は、頭記の特許請求の範囲に示されている。
【００１４】
説明を容易にするために、本発明を例で示す図の大部分は、容器が基部上に垂直に保存される場合、容器の頂部に用いられる通常の位置にある確実位置決めシステムを示し、上方、下方、水平などの用語は、この位置に関連して使用する。しかし、本発明の確実位置決めシステムは、上記の位置以外の位置決めで製造、貯蔵、輸送、使用、および販売することもできることを理解されたい。
【００１５】
本発明が提供するいくつかの確実位置決めシステムは、特別仕上げ構造を有するねじ付容器と共に使用するための蓋部を備えている。一方、本発明の他のシステムは、従来の加工のねじ付容器と共に使用するのに適している。
【００１６】
本明細書で使用する、用語「頚部」は、密封のためのねじまたは他の締結手段が形成されたまたは画定された容器部分を意味するものである。用語「頚部」は、必ずしも、容器本体と比べて直径または横の寸法が小さい容器部分に限定されない。したがって、ねじ付部分が容器本体と同じまたは同様の幅または直径の容器も、本明細書で用いる定義による「頚部」を有するとみなされる。
【００１７】
容器および蓋部の好ましい実施形態を例で示す図のいくつかは、当業者には理解されるであろう従来の構造的詳細および特徴を示している。しかし、このような詳細および特徴の詳細な説明は、本発明の理解には必要ではないため、本明細書には記載していない。
【００１８】
図１〜５を参照すると、確実位置決めシステムの例が、全般的に番号１０で示すパッケージで図示され、これは容器２０および蓋部３０を含む。図１が容器２０の頚部分のみを示していることが当業者には理解されよう。容器２０は、通常、本体部分またはレセプタクル部分（図示せず）を備え、それはどの適当な特別のまたは従来の構成でもよく、そこから頚部２１が延びて蓋部３０を受ける。容器頚部２１は、頚部の外側表面上に形成された少なくとも１つの雄ねじ２４を有する頚部完成品を備える。ねじ形の基部または谷（すなわち、容器頚部のねじの最も狭いところの半径の大きさ）が、所定の小さい方の直径または谷径を規定する。
【００１９】
本発明によれば、新規な確実位置決めシステムの特徴は、容器頚部２１および蓋部３０を共に組み立てる際に、容器頚部２１に対して蓋部３０の所定の位置決めを確立するために容器頚部２１および蓋部３０上にもたらされる。具体的には、容器頚部２１は、少なくとも１つの容器頚部ラグ２８、また、好ましくは１対の容器頚部ラグ２８を備え、この容器頚部ラグ２８が、容器頚部２１の内側に形成された容器頚部肩部２７（図１）から延び、容器頚部壁２６の内側表面２５から延びるような位置決め構造を備えている。肩部２７は、頚部２１のより小さい直径部および拡大した直径のプラグ受け部分２２を画定する。容器頚部ラグ２８は、好ましくは、約１８０°離れて配置され、以下に記載するように、それぞれほぼ垂直に延び、それぞれ蓋部３０上に形成されたプラグ・シール・ラグ５４と係合するための容器頚部ラグ衝合面２９を有する。ラグ２８は、好ましくは、容器のねじ谷径内の容器頚部内に配置される。
【００２０】
蓋部３０は、全般的に円筒形であり実質的に平面の蓋部平坦部３５から下方に延びる蓋部スカート３４を備える蓋部本体３２を備える。雌ねじ４０（図１および図３）は、蓋部スカート３４の内側表面上に形成される。蓋部平坦部３５は、容器２０から内容物が流れるようにさせる注出用オリフィス（ｄｉｓｐｅｎｓｉｎｇ　ｏｒｉｆｉｃｅ）４４を画定する注ぎ口（ｓｐｏｕｔ）３８を備える。蓋部本体３２は、蓋部平坦部３５から下方に延び、プラグ・シールの容器頚部２１の拡大直径部分２２内への挿入を容易にする丸みのある端面５２（図３および図５）を有するプラグ・シール５０も備える。
【００２１】
蓋８０は、ヒンジ８２によって蓋部本体３２にピボット式に取り付けられ、蓋の側壁または蓋の端部壁８８から蓋の着座表面８６へ延びるスカート８４を備える。例に示した好ましい実施形態では、蓋８０は、スナップ・ヒンジ８２など、適当な手段によって蓋部本体に連結される。このようなスナップ・ヒンジ８２は、蓋部本体３２および蓋８０と一体型に成形される。スナップ・ヒンジ８２は、米国特許第４，４０３，７１２号、第５，６４２，８２４号など従来のタイプまたは特別のタイプでもよい。蓋８０は、注出用オリフィス４４内へ入りそれを密封するための内部スパッド（ｓｐｕｄ）またはリング・シール９０を備える。蓋８０は、容器の内容物を注出させるための開位置（図２および図３）と、注出用オリフィス４４（図２）を閉塞する閉位置（図１）の間を移動するように適合されている。代替実施形態（図示せず）では、ヒンジ８２を省略することができ、蓋８０は蓋部本体３２から完全に取り外すことができる。
【００２２】
好ましくは、蓋部本体３２、蓋８０、およびヒンジ８２は、容器およびその内容物に適合した、適当な熱可塑性材料で統合型構造として成形される。具体的なヒンジ構造、蓋構造、および蓋部本体平坦部構造の詳細は、本発明の一部をなさない。蓋部３０は、注ぎ口３８および注出用オリフィス４４の代わりに他の注出する特徴を備えることもできる。たとえば、ノズル、スプレー装置などの特別な排出構造を提供することができる。あるいは、複数の排出口、または容器の内容物を排出するための他の構造を蓋部本体３２に設けることもできる。組み込まれた排出構造に応じて、蓋８０全体を完全に取り除くこともできる。
【００２３】
本発明の確実位置決めの特徴によれば、プラグ・シール５０は、それぞれ容器頚部ラグ衝合面２９と係合するためのプラグ・シール・ラグ衝合面５６を有する、約１８０°離れた（図では１つのプラグ・シール・ラグ５４のみが見える）１つまたは好ましくは２つのプラグ・シール・ラグ５４などの、位置決め構造を備える。図３で示すように、蓋部本体３２が上から見て時計回りの方向に容器頚部２１上にねじ込まれる場合、プラグ・シール・ラグ５４のプラグ・シール・ラグ衝合面５６は、容器頚部ラグ衝合面２９と最終的に係合し、それによって容器２０に対して蓋部３０の確実位置決めが得られる。図４は、図３の線４−４に沿った断面図を示し、容器頚部ラグ衝合面２９の１つと係合し、蓋部３０が矢印（Ａ）の方向にさらに回転するのを阻止するプラグ・シール衝合面５６の１つを示す。図５は、図３の線５−５に沿った断面図であり、プラグ・シール５０の丸みのある端面５２およびプラグ・シール・ラグ５６の軸方向の範囲（Ｌ）を示す。容易に理解されるであろうが、プラグ・シール・ラグ５６の軸方向の範囲（Ｌ）およびプラグ・シール上の半径方向の位置は、頚ねじ部２４の傾斜に応じて選択される。したがって、蓋部スカートねじ部４０の傾斜により、プラグ・シール・ラグ５４と容器頚部ラグ２８の最大の係合が可能になる。
【００２４】
図６〜１１を参照すると、確実位置決めシステムの他の例が、全般的に番号１１０で示され、容器１２０および蓋部１３０を備えるパッケージで示されている。この実施形態では、位置決め構造は、蓋部平坦部の下方側面上にもたらされ、例に示した好ましい形態では、蓋部本体１３２のプラグ・シール１５０と蓋部本体のスカート１３４の間の環状空間１５２（図３）内にある１対の蓋部平坦部ラグ１５４を備える。この実施形態では、容器１２０は、容器頚部端面１２３を有する容器頚部１２１を備える。位置決め構造は、容器頚部内にもたらされ、例に示した好ましい形態では、この位置決め構造は、容器頚部端面１２３から延びる１対の頚部ラグ１２８を含む。各ラグ１２８は、全般的に垂直の頚部ラグ衝合面１２９を備える。各蓋部平坦部ラグ１５４は、それぞれ頚部端面１２３から延びる２つの頚部ラグ１２８の１つとそれぞれ係合するように適合されている。
【００２５】
容器頚部１２１は、少なくとも１つの雄ねじ１２４または頚部の外側表面上に形成されるねじ山を有する頚部完成品を備える。ねじ形状の底部または谷（すなわち、容器頚部１２１上の頚ねじ部１２４の最も狭いところの半径の大きさ）が、所定の小さい方の直径または谷径を画定する。
【００２６】
容器頚部ラグ１２８は、好ましくは、容器頚ねじ部１２４の所定の谷径内に配置される。つまり、容器頚部ラグ１２８は、容器頚部１２１の壁上で頚ねじ部１２４の谷を越えて半径方向外側には延びない。
【００２７】
蓋部１３０は、注出用オリフィス１４４を画定する注ぎ口１３８を有する蓋部平坦部１３５から延びる蓋部スカート１３４を有する蓋部本体１３２を備える。容器頚ねじ部１２４と係合するための雌ねじ１４０が、蓋部スカート１３４の内側表面上に形成される。図６に示した切欠き図および図８に示した断面図で最もよく分かるように、プラグ・シール１５０は、蓋部平坦部１３５から延び、環状空間１５２が、プラグ・シール１５０の外側表面と蓋部スカート１３４の内側表面の間に画定される。本発明によれば、蓋部平坦部ラグ１５４は、環状空間１５２内に配置され、それぞれ蓋部平坦部ラグ衝合面１５６を備える。蓋部本体ラグ１５４は、蓋部本体１３２を図７および図８に示した取付け位置まで回転させる場合、頚部ラグ１２８と係合するように機能する。頚部ラグ１２８上に形成された衝合面１２９は、蓋部本体ラグ１５４上に形成された衝合面１５６によって係合して蓋部本体１３０が容器１２０に対してさらに回転するのを防ぐ。
【００２８】
蓋部１３０は、スナップ・ヒンジ１８２によって蓋部本体１３２にピボット式に連結される蓋１８０も備える。蓋１８０は、蓋側壁１８４、蓋着座表面１８６、および蓋端部壁１８８を備える。オリフィス密封部材１９０は、蓋端部壁１８８上に設けられる。
【００２９】
図９は、図７の線９−９に沿った断面図であり、容器頚部の端面１２３に対する蓋部平坦部ラグ衝合面１５６の１つの位置決めを示す。図１０は、頚部ラグの衝合面１２９の１つと共に蓋部平坦部衝合面１５６の衝合面の１つの衝合を示す部分図であり、それによって蓋部平坦部ラグ１５４が矢印（Ｂ）の方向にさらに移動することを防ぐ。図１１は、図１０の線１１−１１に沿った断面図であり、上から見た、蓋部平坦部ラグ衝合面１５６と頚部ラグ衝合面１２９の係合を示す。
【００３０】
本発明は、蓋部３０または１３０が、それぞれ容器２０または１２０に対して特定の向きで位置合わせする１つまたは複数の特徴を備えることを企図している。このような特徴は、注出用オリフィスを含むことができる。あるいは、こうした特徴は、容器に対し特定の向きで握るための蓋部上の母指または他の指で握る領域とすることもできる。蓋部が蓋を備える場合、特に容器が非円筒形の場合は、蓋のヒンジ部分を容器の１側部に対して位置決めすることが望ましい。平らな側面および／または特別の把握領域を備える容器など、非円筒形の構成をもつタイプの容器では、蓋を開けた場合、蓋が、容器から内容物を注ぐまたは注出するのを妨げないように容器に対して位置決めされることを保証することが望ましい。
【００３１】
最後に、蓋部の注出構造および／または蓋と関連しない理由で、容器上に蓋部を位置決めすることが望ましい。たとえば、蓋部は、美的理由または商標で飾る理由のための変わった外側構成で成形することができ、このような蓋部は、容器に対して特定の向きに取り付けることを保証することが望ましい。あるいは、蓋部は、事前プリントされた字句または図形材料を含むことができるが、そのための容器に対する特定の向きが望まれる。
【００３２】
本発明の上記の詳細な説明および本発明の例から、多くの変更および修正が、本発明の新規な概念および主題の真の精神および範囲から逸脱することなく実施できることは、容易に明らかになるであろう。
【図面の簡単な説明】
【図１】
本発明の好ましい一実施形態による蓋部および容器アセンブリの例の部分分解斜視図である。
【図２】
蓋部が容器に取り付けられ、蓋部の蓋が開口位置にある、図１の蓋部および容器の部分斜視図である。
【図３】
図２の平面３−３に沿った拡大部分断面図である。
【図４】
図３の平面４−４に沿った拡大部分断面図である。
【図５】
図３の平面５−５に沿った拡大部分断面図である。
【図６】
本発明の他の好ましい実施形態による蓋部および容器アセンブリの例の部分分解斜視図である。
【図７】
蓋部が容器に取り付けられ、蓋部の蓋が開口位置にある、図６の蓋部および容器の部分斜視図である。
【図８】
図７の平面８−８に沿った拡大部分断面図である。
【図９】
図７の平面９−９に沿った拡大部分断面図である。
【図１０】
図７に示した実施形態の第１および第２の衝合面の例の拡大部分側面図である。
【図１１】
図１０の平面１１−１１に沿った部分断面図である。
【国際公開パンフレット】
2004512234.tif 000003
2004512234.tif 000004
2004512234.tif 000005
2004512234.tif 000006
2004512234.tif 000007
2004512234.tif 000008
2004512234.tif 000009
2004512234.tif 000010
2004512234.tif 000011
2004512234.tif 000012
2004512234.tif 000013
2004512234.tif 000014
2004512234.tif 000015
2004512234.tif 000016
2004512234.tif 000017
2004512234.tif 000018
2004512234.tif 000019
【国際調査報告】
2004512234.tif 000020